(57)【要約】【課題】券売機で交換用カード類を購入してから料理が提供されるまでの利用客の待ち時間を短くできるとともに、料理の提供間違えなどのトラブルが発生するのを防ぐことができ、また必要な情報を画面表示することができる飲食店用券売機システムを得ることを目的とする。【解決手段】１または２以上のコントローラ付き自動券売機と、この自動券売機と通信手段によって接続された厨房および給仕用カウンタに設置されたコントローラ付き厨房モニタおよびコントローラ付き客用モニタとで構成され、上記自動券売機は少なくとも、コントローラ、現金投入手段、表示用モニタ、発券手段、および通信手段を備え、また表示用モニタにはタッチパネル式の入力装置が付設され、上記厨房モニタはタッチパネル式の入力装置と、印字装置を備え、また上記客用モニタは呼出し手段を備えており、（発券）・（調理）・（調理完了）・（呼出）・（給仕）・（消し込み）の各段階を経て飲食物の提供が完了するようにした飲食店用券売機システム。【選択図】      図１
2005202910.tif 000002
【特許請求の範囲】
【請求項１】
１または２以上のコントローラ付き自動券売機と、この自動券売機と通信手段によって接続された厨房および給仕用カウンタに設置されたコントローラ付き厨房モニタおよびコントローラ付き客用モニタとで構成され、
上記自動券売機は少なくとも、コントローラ、現金投入手段、表示用モニタ、発券手段、および通信手段を備え、また表示用モニタにはタッチパネル式の入力装置が付設され、
上記厨房モニタはタッチパネル式の入力装置と、印字装置を備え、
また上記客用モニタは呼出し手段を備えており、
（発券）
利用客は自動券売機の表示用モニタのメニュー表示を確認しながら、タッチパネル式の入力装置を操作して所望の料理メニューを選択し、交換用カード類の発行を受ける。
（調理）
利用客が入力装置を操作して所望のメニューを選択して交換用カード類が発行されると、その情報が厨房モニタに送信されてメニューと交換用カード類の整理番号とが表示される。厨房の担当者はそのメニューを見て調理に取りかかる。
それとともに、給仕用カウンタに設置された客用モニタには少なくとも交換用カード類の整理番号が調理中を示す欄に表示される。
（調理完了・呼出）
調理の終了に応じて厨房の担当者が厨房モニタに表示された料理メニューを消し込むと同時に、少なくとも当該料理メニューに対応する整理番号が印字され、配膳表として利用される。
この配膳表の印字は、メニューの購入による交換用カード類の発行時であっても、また料理メニューの提供時であってもよい。
また厨房モニタに表示された料理メニューを消し込むと同時に、給仕用カウンタに設置された客用モニタの交換用カード類の番号表示が調理済みを示す欄に表示され、利用客が客用モニタの呼出し手段により給仕用カウンタまで呼び出される。
（給仕）
厨房の担当者は、利用客の提示した交換用カード類の整理番号を上記配膳表に記入された整理番号で確認し、交換用カード類と交換に料理メニューを提供する。
（消し込み）
料理メニューの提供後、厨房担当者は厨房モニタの調理済みメニューの調理済み表示を最終的に消し込む。
それと同時に客用モニタの番号表示も消去される。
ようにしたことを特徴とする飲食店用券売機システム。
【請求項２】
１または２以上のコントローラ付き自動券売機と、この自動券売機と通信手段によって接続された厨房および給仕用カウンタに設置されたコントローラ付き厨房モニタおよびコントローラ付き客用モニタとで構成され、
上記自動券売機は少なくとも、コントローラ、現金投入手段、表示用モニタ、発券手段、および通信手段を備え、また表示用モニタにはタッチパネル式の入力装置が付設され、
上記厨房モニタはタッチパネル式の入力装置と、印字装置を備え、
また上記客用モニタは呼出し手段を備えており、
（発券）
利用客は自動券売機の表示用モニタのメニュー表示を確認しながら、タッチパネル式の入力装置を操作して所望の料理メニューを選択し、交換用カード類の発行を受ける。
その際、所望の料理メニューを選択すると追加メニュー選択画面が表示され、追加メニュー（トッピング・サイドメニュー）を選択することができる。
（調理）
利用客が入力装置を操作して所望のメニューを選択して交換用カード類が発行されると、その情報が厨房モニタに送信されてメニューと交換用カード類の整理番号とが表示される。厨房の担当者はそのメニューを見て調理に取りかかる。上記追加メニュー（トッピング・サイドメニュー）が選択されている場合には着信順に表示される厨房モニタの画面表示に追加メニュー（トッピング・サイドメニュー）が表示される。
それとともに、給仕用カウンタに設置された客用モニタには少なくとも交換用カード類の整理番号が調理中を示す欄に表示される。
（調理完了・呼出）
調理の終了に応じて厨房の担当者が厨房モニタに表示された料理メニューを消し込むと同時に、少なくとも当該料理メニューに対応する整理番号が印字され、配膳表として利用される。
この配膳表の印字は、メニューの購入による交換用カード類の発行時であっても、また料理メニューの提供時であってもよい。
上記追加メニュー（トッピング・サイドメニュー）が選択されている場合には配膳表にも追加メニュー（トッピング・サイドメニュー）がプリントされる。
また厨房モニタに表示された料理メニューを消し込むと同時に、給仕用カウンタに設置された客用モニタの交換用カード類の番号表示が調理済みを示す欄に表示され、利用客が客用モニタの呼出し手段により給仕用カウンタまで呼び出される。
（給仕）
厨房の担当者は、利用客の提示した交換用カード類の整理番号を上記配膳表に記入された整理番号で確認し、交換用カード類と交換に料理メニューを提供する。
（消し込み）
料理メニューの提供後、厨房担当者は厨房モニタの調理済みメニューの調理済み表示を最終的に消し込む。
それと同時に客用モニタの番号表示も消去される。
ようにしたことを特徴とする飲食店用券売機システム。
【請求項３】
自動券売機が、親券売機と１ないし２以上の子券売機とをネットワークで接続した複数の自動券売機からなり、親券売機のみならず子券売機の仕様変更等の各券売機の設定を、サーバ機能を備えた親券売機を操作することにより行なえるようにしたことを特徴とする請求項１または２に記載の飲食店用券売機システム。
【請求項４】
自動券売機の表示用モニタが、料理メニュー以外の画像表示機能を有し、広告宣伝表示、推奨メニュー表示、あるいは各種の情報提供画面として、あるいは遠隔地のオペレータを映像若しくは画像表示して対面販売するために用いることを可能としたことを特徴とする請求項１または２に記載の飲食店用券売機システム。
【請求項５】
自動券売機の表示用モニタが、呼出しボタンの操作に応じて係員をこのモニタに表示し、対面状態でメンテナンス可能としたことを特徴とする請求項１または２に記載の飲食店用券売機システム。
【請求項６】
整理番号を介して利用客に調理済みを知らせる手段が、整理番号の点滅、報知ランプの点灯もしくは点滅、整理番号の調理済みポジションへの移行、整理番号の音声呼出し等からなることを特徴とする請求項１または２に記載の飲食店用券売機システム。
【請求項７】
厨房モニタの調理済みメニューの調理済み表示への変更が、調理済みメニューの反転表示からなることを特徴とする請求項１または２に記載の飲食店用券売機システム。
【請求項８】
客用モニタが、プラズマディスプレイ・液晶ディスプレイからなることを特徴とする請求項１または２に記載の飲食店用券売機システム。
【請求項９】
客用モニタが、広告を表示可能としてなることを特徴とする請求項１または２に記載の飲食店用券売機システム。
【発明の詳細な説明】
【技術分野】
【０００１】
この発明は、料金先払いでセルフサービス方式を採用した軽食コーナ等で使用される、券売機を用いた飲食店用券売機システムに関するものである。
【背景技術】
【０００２】
従来の料金先払いでセルフサービス方式を採用した軽食コーナ等における飲食店用券売機システムとしては、軽食コーナ等の入口やホール内に１以上の券売機を設置し、券売機において発行された食券を利用客が厨房に付設した給仕用カウンタに持参して、厨房で調理したものを利用客が受け取り、所定のテーブルへ運んで飲食するものが極めて一般的であった。
【０００３】
他方、料金先払い方式における飲食店用サービスシステムとして、飲食店の入口やホール内に１以上の券売機を設置し、券売機において購入した食券を利用客が飲食店内のテーブルに持参した上で、それを給仕人が厨房へ伝達し、厨房で調理したものを給仕人が上記テーブルへ運び、利用客がこれを飲食するものも知られている。このような料金先払い方式における飲食店用サービスシステムにおいては、食券を購入してから料理が配膳されるまでの待ち時間を短くするため、券売機において所定メニューの食券が購入された時点で厨房に調理の指示が伝達され、利用客がテーブルに着席した時点でテーブル番号が厨房に伝達されて上記メニューと連結されるようにしたものも用いられている。
【０００４】
特に、本件出願人の出願に係る特開２００２−１９７５４２公報（特許文献１参照）には、識別情報を表示された食券を発行する券売機、調理場に設置され上記券売機で発行された食券情報を受けて注文されたメニューを所定位置に表示する厨房モニタ、および調理完了入力により上記厨房モニタに表示された該当メニューを消す手段を設けるとともに、当該調理済みメニュー内容と識別情報とをプリントした配膳表を出力するプリンタを備え、前記食券に表示された識別情報と配膳表の識別情報を比較できるようにした飲食店用券売機システムが示されている。
【０００５】
また同様に特願２００２−４８８７２には、整理番号を記憶した記憶カードを発行する券売機、調理場に設置され上記券売機で発行されたカード情報を受けて注文されたメニューを所定位置に表示する厨房モニタ、および調理完了入力により上記厨房モニタに表示された該当メニューを消す手段を設けるとともに、客用モニタに整理番号を表示して利用客に調理の終了を報知し、前記記憶カードを利用客から受け取って端末機で読み取って、各モニタから整理番号を消し込むようにした飲食店用券売機システムが示されている。
【特許文献１】特開２００２−１９７５４２公報
【発明の開示】
【発明が解決しようとする課題】
【０００６】
以下に、券売機を用いた上記飲食店用券売機システムにおける問題点を列挙する。
（システム全体）
・メニューボタンを押して所定のメニューを購入してから料理が提供されるまでの利用客の待ち時間が長い。
・券売機でメニューボタンを押してメニューを購入後、厨房において実際に所定のメニューが調理されているかどうかを客の側から把握することが難しい。
・料理を別の利用客に提供するなどのトラブルが発生しやすい。
（券売機本体）
・メニューボタンとサンプルメニュー表示とを別々に作成する必要があるので手間がかかる。
・飲食店側において、新商品の登録や変更が難しいので、有償でその都度メーカーに依頼せざるをえない。
・券売機において、精算時における現金回収の手間がかかり過ぎる。
・札やコイン等の現金が投入しづらい。
【課題を解決するための手段】
【０００７】
以上の問題点を解消し、かつ上記目的を達成するためこの発明の飲食店用券売機システムは、
１または２以上のコントローラ付き自動券売機と、この自動券売機と通信手段によって接続された厨房および給仕用カウンタに設置されたコントローラ付き厨房モニタおよびコントローラ付き客用モニタとで構成され、
上記自動券売機は少なくとも、コントローラ、現金投入手段、表示用モニタ、発券手段、および通信手段を備え、また表示用モニタにはタッチパネル式の入力装置が付設され、
上記厨房モニタはタッチパネル式の入力装置と、印字装置を備え、
また上記客用モニタは呼出し手段を備えており、
（発券）
利用客は自動券売機の表示用モニタのメニュー表示を確認しながら、タッチパネル式の入力装置を操作して所望の料理メニューを選択し、交換用カード類の発行を受ける。
（調理）
利用客が入力装置を操作して所望のメニューを選択して交換用カード類が発行されると、その情報が厨房モニタに送信されてメニューと交換用カード類の整理番号とが表示される。厨房の担当者はそのメニューを見て調理に取りかかる。
それとともに、給仕用カウンタに設置された客用モニタには少なくとも交換用カード類の整理番号が調理中を示す欄に表示される。
（調理完了・呼出）
調理の終了に応じて厨房の担当者が厨房モニタに表示された料理メニューを消し込むと同時に、少なくとも当該料理メニューに対応する整理番号が印字され、配膳表として利用される。
この配膳表の印字は、メニューの購入による交換用カード類の発行時であっても、また料理メニューの提供時であってもよい。
また厨房モニタに表示された料理メニューを消し込むと同時に、給仕用カウンタに設置された客用モニタの交換用カード類の番号表示が調理済みを示す欄に表示され、利用客が客用モニタの呼出し手段により給仕用カウンタまで呼び出される。
（給仕）
厨房の担当者は、利用客の提示した交換用カード類の整理番号を上記配膳表に記入された整理番号で確認し、交換用カード類と交換に料理メニューを提供する。
（消し込み）
料理メニューの提供後、厨房担当者は厨房モニタの調理済みメニューの調理済み表示を最終的に消し込む。
それと同時に客用モニタの番号表示も消去される。
ようにしたことを特徴とするものである。
【０００８】
またこの発明の飲食店用券売機システムは、
１または２以上のコントローラ付き自動券売機と、この自動券売機と通信手段によって接続された厨房および給仕用カウンタに設置されたコントローラ付き厨房モニタおよびコントローラ付き客用モニタとで構成され、
上記自動券売機は少なくとも、コントローラ、現金投入手段、表示用モニタ、発券手段、および通信手段を備え、また表示用モニタにはタッチパネル式の入力装置が付設され、
上記厨房モニタはタッチパネル式の入力装置と、印字装置を備え、
また上記客用モニタは呼出し手段を備えており、
（発券）
利用客は自動券売機の表示用モニタのメニュー表示を確認しながら、タッチパネル式の入力装置を操作して所望の料理メニューを選択し、交換用カード類の発行を受ける。
その際、所望の料理メニューを選択すると追加メニュー選択画面が表示され、追加メニュー（トッピング・サイドメニュー）を選択することができる。
（調理）
利用客が入力装置を操作して所望のメニューを選択して交換用カード類が発行されると、その情報が厨房モニタに送信されてメニューと交換用カード類の整理番号とが表示される。厨房の担当者はそのメニューを見て調理に取りかかる。上記追加メニュー（トッピング・サイドメニュー）が選択されている場合には着信順に表示される厨房モニタの画面表示に追加メニュー（トッピング・サイドメニュー）が表示される。
それとともに、給仕用カウンタに設置された客用モニタには少なくとも交換用カード類の整理番号が調理中を示す欄に表示される。
（調理完了・呼出）
調理の完了時においては、厨房の担当者は厨房モニタを操作して調理済みのメニューを調理済み表示に変更し、同時に印字装置により整理番号を記入した配膳表の発行を受ける。この配膳表の印字は、メニューの購入による交換用カード類の発行時であっても、また料理メニューの提供時であってもよい。
上記追加メニュー（トッピング・サイドメニュー）が選択されている場合には配膳表にも追加メニュー（トッピング・サイドメニュー）がプリントされる。
厨房モニタが調理済みのメニューを調理済み表示に変更すると同時に、給仕用カウンタに設置された客用モニタの交換用カード類の番号表示が調理済みを示す欄に表示され、利用客が客用モニタの呼出し手段により給仕用カウンタまで呼び出される。
（給仕）
厨房の担当者は、利用客の提示した交換用カード類の整理番号を上記配膳表に記入された整理番号で確認し、交換用カード類と交換に料理メニューを提供する。
（消し込み）
料理メニューの提供後、厨房担当者は厨房モニタの調理済みメニューの調理済み表示を最終的に消し込む。
それと同時に客用モニタの番号表示も消去される。
ようにしたことをも特徴とするものである。
【０００９】
この発明の飲食店用券売機システムは、上記自動券売機が、親券売機と１ないし２以上の子券売機とをネットワークで接続した複数の自動券売機からなり、親券売機のみならず子券売機の仕様変更等の各券売機の設定を、サーバ機能を備えた親券売機を操作することにより行なえるようにしたことをも特徴とするものである。
【００１０】
この発明の飲食店用券売機システムは、上記自動券売機の表示用モニタが、料理メニュー以外の画像表示機能を有し、広告宣伝表示、推奨メニュー表示、あるいは各種の情報提供画面として、あるいは遠隔地のオペレータを映像若しくは画像表示して対面販売するために用いることを可能としたことをも特徴とするものである。
【００１１】
この発明の飲食店用券売機システムは、上記自動券売機の表示用モニタが、呼出しボタンの操作に応じて係員をこのモニタに表示し、対面状態でメンテナンス可能としたことをも特徴とするものである。
【００１２】
この発明の飲食店用券売機システムは、上記整理番号を介して利用客に調理済みを知らせる手段が、整理番号の点滅、報知ランプの点灯もしくは点滅、整理番号の調理済みポジションへの移行、整理番号の呼出し等からなることをも特徴とするものである。
【００１３】
この発明の飲食店用券売機システムは、上記厨房モニタの調理済みメニューの調理済み表示への変更が、調理済みメニューの反転表示からなることをも特徴とするものである。
【００１４】
この発明の飲食店用券売機システムは、上記給仕用カウンタに設置された客用モニタが、プラズマディスプレイ・液晶ディスプレイからなることをも特徴とするものである。
【００１５】
この発明の飲食店用券売機システムは、上記客用モニタが、広告を表示可能としてなることをも特徴とするものである。
【発明の効果】
【００１６】
この発明における飲食店用券売機システムによれば、券売機から交換用カード類が発行されるとすぐに料理メニューの選択情報を受けて厨房モニタに注文された料理メニューおよび交換用カード類の整理番号が表示され、調理完了入力があるまで消えない。同様に客用モニタにも交換用カード類の整理番号が表示され、利用客に自分の料理メニューが調理中であることを告知するので利用客は安心して調理の完了を待つことができる。
また、交換用カード類には整理番号が印字されており、調理完了を入力することにより客用モニタに表示された整理番号が調理完了を告知し、また整理番号を印字した配膳表がプリンタから出力されるので、整理番号を照合して料理メニューを提供することができ、料理メニューの提供ミスを解消することができるようになった。
【００１７】
またこの発明に係る飲食店用券売機システムは、ホール内に設置した客用モニタと厨房モニタの消し込みが連動しているので、厨房モニタの料理メニューおよび交換用カード類の整理番号の表示により、厨房の担当者の作業を行いやすくするとともに、客用モニタの整理番号の表示により利用客は自分の料理メニューが調理中か完了したかを確実に知ることができる。このようにして、利用客により近い立場でサービスを提供することができる。
【００１８】
上記飲食店用券売機システムにおけるその他の作用効果を列挙すると次の通りである。
（システム全体）
・料理メニューを選択して交換用カード類を購入すると同時に、料理メニューを厨房モニタに表示し、同時に客用モニタ（利用客席側表示）にも整理番号を表示するとともに、調理完了後は厨房側で消し込むと同時に整理番号を点滅させ、発行された交換用カード類を利用客からカウンターで受取り、交換用カード類の整理番号と配膳表の整理番号とを確認した上で商品を渡すので、非常に合理的に作業を行なうことができる。
・ネットワークに無線式（電源のみで配線をなくす）を採用することができ、設置等の際に配線工事等の手間がかからない。
・券売機本体や厨房モニタ、客用モニタ等において、ボイス機能（利用客の呼出しや、調理時間等を音声で案内する）を採用することにより、利用客のサービス向上につながる。
・調理終了後、客用モニタ（利用客席側表示）において番号が点滅するだけでなく、音声案内の機能も加える(売店選択可能)ことにより、呼び出しが確実に行なえるようになる。
（券売機本体）
・音声ガイダンスに基づいて料理メニューを選択し、現金投入（バリアフリー型）後、交換用カード類（ロ一ル紙も使用可能）を発行する。したがって券売機を効率よく作動させることができる。
・また金銭をそれぞれ複数の紙幣ごと、あるいは複数の硬貨ごとに一括投入できるようにするだけでなく、ＩＣカード、プリペイドカード、ＳＦカード（サイバネ規格準拠）、クレジットカード等の各種のカード類も使用可能とすることにより、利用客の便宜を図ることができる。
・ポイントカード等の機能も搭載可能とする。
・メニュー変更は券売機本体において、あるいはサーバ側からデータを配信して行なうことができ、いちいちサービスマンを呼ぶ必要がない。すなわち、料理メニューや価格等のデータ改正は、インターネット・イントラネットなどのオンライン操作によりサーバのメニューを変更することが可能であり、また券売機側において外付メモリから読み込みすることにより、入力ミスを防いで、迅速かつ確実に行えるようにする。
・同様に売上記録もオンラインまたは外付メモリに出力することにより、入力ミスを防いで、迅速かつ確実に行えるようにする。
・表示用モニタに例えばスクリーンセイバ機能を持たせることにより、メニューの紹介や売店商品の宣伝効果を高めることができる。
・現金回収方法は防犯上および回収の手間を考慮し、券売機本体からカセット方式で取り出しやすくする。
・券売機本体に内蔵されたセンサにより、利用客を感知して券売機が音声案内とともに自動的に購入画面に切り換わるようにする。休止の間はスクリーンセイバ等を用いてお勧めメニューや新規メニューの紹介その他、種々の宣伝広告を行ったり、イベント紹介等を行えるようにする。
・呼出しボタンの操作に応じて、設定されたモニタにその旨報知されるようにする。
・券売機のサイズは、利用客が現金投入するテーブル部分までを身障者（車いす）の利用可能な高さとしてバリアフリー化する。
【発明を実施するための最良の形態】
【００１９】
以下、この発明に係る飲食店用券売機システムの実施の形態を図面に基づいて詳細に説明する。図１はこの発明に係る飲食店用券売機システムの１実施例を示す全体構成図、図２は上記全体構成をホール側と厨房側とに分割配置した状態を示す概略図、図３はこの発明の飲食店用券売機システムに使用する券売機本体の構成図、図４は券売機本体の表示用モニタの画面構成の例を示す説明図、図５は別の画面構成を示す説明図、図６はさらに別の画面構成を示す説明図、図７は交換用カード類の記載例を示す説明図、図８は厨房モニタの画面構成の例を示し、調理の完了に応じて最初の消し込みを行った状態において、調理済みメニューが反転表示されていることを示す説明図、図９は最終消し込みを行なった状態を示す説明図、図１０は厨房モニタの画面構成の別の例を示す説明図、図１１は消し込みによって先詰め式に繰り上げられた状態を示す説明図、図１２は客用モニタの画面構成の例を示す説明図、図１３は調理中の画面構成の例を示す説明図、図１４は調理完成状態の画面構成の例を示す説明図、図１５は客用モニタに広告を表示可能とした画面構成の例を示す説明図である。
【００２０】
図１および図２において、１は整理番号等を印字した交換用カード類を、表示用モニタ２の料理メニューに触れることにより発行するコントローラ付き自動券売機である。この券売機１は主にサーバを備えた親機と複数の子機とで構成するネットワーク対応型であり、したがって、整理番号が複数の自動券売機で同一のものが発生しないようになっている。もちろん、有線あるいは無線通信等でデータのやり取りが行なえるものであることが望ましい。また３はパソコンで、事務所やコントロールセンター等に設置されており、上記券売機１とネットワークを介して接続されている。なおこのパソコン３は、サーバを備えた親機に各種データの記憶手段や処理能力を備えさせておくことにより、これを省略することができる。
６は厨房モニタ４に付設した配膳表を打ち出すプリンタ、７は厨房モニタ４に付設した交換用カード類の回収装置である。なお交換用カード類の回収装置に例えばカードに記憶させた整理番号等のデータを読み取らせれば、交換用カード類の整理番号の照合を迅速に行なうことができるとともに、指でタッチしなくても消し込み操作を行うことができる。
【００２１】
上記券売機１において特に親機は、図３に示すような構成からなっている。すなわち、券売機１はサーバを備えるとともにコントローラを内蔵するよう構成され、前面１１には表示用モニタ２が取り付けられている。この表示用モニタ２にはタッチパネル式の入力装置が付設され、表示用モニタ２に表示される料理メニューに触れることにより、当該料理メニューの入力を行なうことができる。また券売機１の前面１１のテーブル部分１２には、それぞれ複数の紙幣ごとや複数の硬貨ごとに一括して投入することが可能な投入口を備えた現金投入手段１３が設けられている。したがって、現金をこの投入口へ投入し、表示用モニタ２のタッチパネル式の料理メニューに触れることにより、当該料理メニューの入力を行なうことができるのである。
もちろん、現金のみならず、ＩＣカード、プリペイドカード、ＳＦカード（サイバネ規格準拠）、クレジットカード等の各種のカード類も使用可能とすることができる。
【００２２】
券売機１の表示用モニタ２の画面構成の１例を図４に示す。図では各種メニューの選択欄（左側）、画像付きのメニュー表示（中央）、購入メニューリスト（右側）が配置され、下部にはＯＫキー等の各種操作キーが配置されている。また図５では最大１２のメニュー表示が可能であり、図６では最大１８のメニュー表示が可能である。
もちろん、各グループを１画面として、各頁を簡単なキー操作でページ送り可能としてもよい。
【００２３】
なお、親機の券売機１にはサーバを設けてあるが、子機の券売機１にはそのようなサーバは不要であり、親機を含めたネットワーク上に当該子機の情報を流せるようになっていれば充分である。すなわち、パソコン３側から親機の券売機１のサーバを操作することにより、あるいはネットワーク上における対象券売機１の操作により、ブラウザ等の閲覧ソフトを用いて、料理メニューの一新、価格の変更や表示用モニタの画面構成の変更等の、券売機の仕様変更、とりわけ子機の仕様変更が簡単に行なえるのである。
【００２４】
図３において１４は発券手段で、現金や、ＩＣカード、プリペイドカード、ＳＦカード（サイバネ規格準拠）、クレジットカード等の各種のカード類を挿入口から投入し、表示用モニタ２のタッチパネル式の料理メニューに触れることにより、当該料理メニューの入力を行なうと、発券手段１４の発券口から適宜の構造の交換用カード類が発券される。この交換用カード類の例を図７に示す。この交換用カード類１５としては（ａ）３０ｍｍ通常券１５−１、（ｂ）３０ｍｍ半券１５−２、（ｃ）４５ｍｍ半券、その他のカード類が用意してある。
上記交換用カード類１５には料理メニュー欄１６と利用客の整理番号１７とを印字してある。最低限必要な記載事項は整理番号１７である。もちろん、日付や時刻、単価等の表示があってもよい。
この例では印字可能なカードを示したが、リライトして繰り返し使用可能なプリペイドカード等の磁気カード、ＩＣカード、非接触ＩＣスティックや、料理メニューにそれぞれ対応した複数の種類のカード等をストックして利用することも可能である。
【００２５】
１８は通信手段で、光ファイバ等の有線や無線通信手段、例えば無線ＬＡＮやＳＳ無線機、ＰＨＳその他の無線通信装置が使用可能である。もちろん、パソコン３のブラウザ等の閲覧ソフトを用いて、どこにいてもＶＰＮやインターネット、イントラネット等に接続可能であることが望ましい。
【００２６】
１９は利用客の検知センサで、券売機１の正面に取り付けられており、利用客が券売機１に近付いたことを感知して、表示用モニタ２が自動的に待機画面から操作画面に切り替わる。したがって、待機画面においてスクリーンセイバ機能を用い、券売機における各種の説明、販売促進のみならず、種々の宣伝や広告等に利用することができる。２０はカード挿入口である。
【００２７】
２１は呼出し手段で、利用客が券売機１の操作時にトラブルを生じた際にこの呼出し手段２１を押すと、厨房モニタもしくは遠隔地のコントロールセンターに信号が送信され、オペレータが表示用モニタ２に登場して対話式に上記トラブルの解消を図ることができるようになっている。その際、利用客とオペレータは表示用モニタ２を介して双方向で対話することが可能で、リアルタイムでしかも具体的にトラブル処理の支持を仰ぐことができるので、利用客への対応がより緻密に行なうことが可能となる。
【００２８】
次にコントローラ付きの厨房モニタ４は調理場に近接して設置され、タッチパネル式の入力装置と、プリンタ６等の感熱式等の印字装置を備えている。
すなわち、利用客が券売機１の表示用モニタ２に表示された所望のメニューを選択して交換用カード類が発行されると、その情報が直接、厨房モニタ４（コントローラ）に送信され、画面上に料理メニューと交換用カード類の整理番号とが表示される。厨房の担当者はその料理メニューを見て即座に調理に取りかかることができる。
【００２９】
上記厨房モニタ４の画面は図８ないし図１１に示す通りである。すなわち、メニューまとめ表示画面（図８および図９）においては、画面上に料理メニュー２２とそれに対応する１以上の交換用カード類の整理番号２３とが表示される。この表示は交換用カード類の発行に応じて先詰め式に配列される。もちろん、画面上に料理メニュー２２と交換用カード類の整理番号２３とが表示されてから何分経過したかを分刻みで表示し、調理のスピードアップを図ることもできる。その場合には、例えば画面表示を順次、何分は青、何分は黄色、何分は赤というように色が変わるようにしておくことが可能である。もちろん、上記において何色を使用するかは自由である。
【００３０】
図８の画面はオーダー状況を示す画面であり、中華丼の欄の右側３個が最初の消し込みにより反転表示されている。図９の画面は最終の消し込みにより、表示されている料理メニューが調理中であることを示している。すなわち、調理が完了して厨房の担当者が最上段の料理メニューに触れると、タッチパネル式の入力装置にその料理メニューに対し１回目の消し込みが行なわれる。その際、当該料理メニューは消えるのではなく白黒（白抜きとベタ）反転するようになっている。次に配膳を確認して上記反転表示に触れることにより、調理の完了を確定することができる。
図８および図９において料理メニューは上下に仕切られており、上部は注文の多い料理メニューを固定して表示した固定項目となっており、下部はそれ以外の料理メニューを移動可能に表示した流動項目となっている。もちろん、料理メニューは上下に仕切らず、全体を流動項目とすることもできる。
【００３１】
図１０および図１１の画面はオーダ受付順を示す表示であり、左側の上部２個が最初の消し込みにより反転表示されている。すなわち、調理が完了して厨房の担当者が最上段の料理メニューに触れると、タッチパネル式の入力装置にその料理メニューに対し１回目の消し込みが行なわれる。そして、図１１の画面は最上段のメニュー欄が最終の消し込みにより、先詰め式に繰り上げられた状態を示している。
【００３２】
上記プリンタ６は配膳表を印字するためのもので、調理の終了に応じて厨房の担当者が厨房モニタ４に表示された料理メニューを消し込むと同時に、少なくとも当該料理メニューに対応する整理番号が印字され、配膳表として利用される。もちろん、配膳表の印字をメニューの購入による交換用カード類の発行とともに、あるいは料理メニューの提供時に行ってもよい。
【００３３】
次にホールに近接して設置されたコントローラ付き客用モニタ５について説明する。この客用モニタ５もネットワークを介して券売機１に接続されている。そして、利用客が券売機１の表示用モニタ２に表示された所望のメニューを選択して交換用カード類が発行されると、その情報が直接厨房モニタ４（コントローラ）のみならず、客用モニタ５（コントローラ）にも送信され、その画面上に交換用カード類の整理番号が先詰め式に表示される。利用客はその整理番号を見て自分の料理メニューが調理のどの段階かを把握することができるので、いらいらして待つことがなくなる。
【００３４】
図１２ないし図１４にコントローラ付き客用モニタ５の画面構成の１例を示す。図１２では調理中のものと調理済みのものとが横に並べられて表示されている。そして図１３は調理中の画面構成の例を示している。図１４は調理完成状態の画面構成の例を示し、両表示は選択可能である。
もちろん上記において、左右で色を変えることにより、例えば調理中は青、調理済みは赤とすることにより、利用客は自然に調理の完了を把握することが可能となる。また両者を混在させて注文の順序に並べておくこともできる。もちろん、上記において何色を使用するかは自由である。
なお、上記客用モニタ５は呼出し手段を備えている。この呼出し手段としては、整理番号の点滅、報知ランプの点灯もしくは点滅、整理番号の調理済みポジションへの移行、整理番号の音声による呼出し等が考えられる。
【００３５】
上記客用モニタ５としては、充分な明るさと解像度、大画面とすることが容易である点等から、プラズマディスプレイ・液晶ディスプレイを好適に利用することができる。もちろん、このプラズマディスプレイ・液晶ディスプレイは薄型で場所を取ることがないというメリットを有しており、給仕用カウンタ等の一般に狭いスペースには好都合である。
【００３６】
次に動作手順について説明する。まず、利用客が自動券売機１に金銭を投入し、表示用モニタ２のメニュー選択画面から料理メニューを選択すると、選択したメニュー内容が白黒反転したり、点滅したりする。そこで利用客は自分の選択したメニューを確認し、確認ボタン等を押して注文すれば（行程１）、整理番号の付された交換用カード類が発行される（行程２）。と同時に、自動券売機１で発行された交換用カード類の例えばメニューや整理番号等は、直接コントローラの通信機能を介して全調理場の厨房モニタ４（コントローラ）のみならず、ホール内に設置した客用モニタ５（コントローラ）に送信される（行程３）。厨房モニタ４には注文された順に料理メニューや整理番号等が表示される（行程４）。厨房モニタ４には、料理メニューの表示や注文の順序を示す優先順位の表示、色の変化による仕掛かり時間の表示のみならず、上記交換用カード類に付された整理番号等の情報が画面表示される（行程５）。
【００３７】
利用客がセルフサービスのサービスカウンタにつくと、すでに調理が始まっており、短時間で料理が調理されてサービスカウンタに提供される（行程６）。もしも一定時間が経過しても料理が完成しない場合は、厨房モニタ４のメニュー等の色が変化（青→黄→赤）して、その督促を行なうようになっている。もちろん、上記において何色を使用するかは自由である。
調理が終了した際、厨房の担当者は厨房モニタ４のタッチパネルを操作して消し込みを行なう（行程７）。
すると、厨房モニタ４の画面において該当メニューが白黒反転し、客用モニタ５において整理番号の点滅、報知ランプの点灯もしくは点滅、整理番号の調理済みポジションへの移行、もしくは整理番号の音声による呼出し等の呼出しが発動する。また、プリンタ６から料理メニューと整理番号等が印刷された配膳表が出力される（行程８）。
【００３８】
利用客の所持している交換用カード類には整理番号が記入されているので、利用客は調理済みの報知に応じて給仕用カウンタで交換用カード類を手渡す。そこで厨房の担当者が利用客から前記交換用カード類を受け取って整理番号を確認し、厨房の担当者（例えば調理人）は料理メニューを利用客に提供する（行程９）。最後に、厨房モニタ４から上記料理メニューや整理番号が消され、同時に客用モニタ５の整理暗号の表示も消される。
なお、上記交換用カード類を磁気カード等のデータの書き込み機能を備えたものとし、端末機で交換用カード類の情報を読み取らせ、整理番号の照合を自動的に行なうこともできる。
【００３９】
上述の動作説明からも判るように、利用客は交換用カード類の整理番号を見て、客用モニタ５の整理番号の表示により自分の注文したメニューの調理の進み具合を確認することができる。しかも、調理の終了を客用モニタ５の画面における整理番号の点滅等で確認することができ、確認後ただちに交換用カード類を客用モニタのあるカウンタに持参すればよいので、調理の行なわれている時間も安心して待つことができる。
【００４０】
また、交換用カード類の発行と同時に厨房モニタにメニューが表示され、料理が注文されてから利用客に提供されるまでの各作業を省力化することができるとともに、利用客がサービスカウンタに交換用カード類を提示した時点で、厨房の担当者が交換用カード類に表示された整理番号と配膳表にプリントされた整理番号とを照合するだけで、注文されている料理と提供すべき利用客とを正確に連結させることができ、調理完了後も注文された順序を守りながら円滑な料理の提供を行うことができる。
さらに、利用客が自動券売機１から直接交換用カード類を購入するのでレジ係が不要となる上、自動券売機１から交換用カード類が発行された時点で厨房モニタ４に注文された料理メニューが表示されるので、調理に早く取り掛かることができ、利用客が料理を待つ時間を短縮できるとともに、店舗の利用客回転率向上にも結び付く。
【００４１】
図１５に客用モニタ５を広告を表示可能とした画面構成の例を示す。すなわち、図１５の場合、プラズマディスプレイ・液晶ディスプレイからなる画面の上部に文字情報を定期的に流している。この文字情報には、帯状の道路情報やニュース、広告情報等が含まれている。
さらに、画面の主要な部分には、広告を表示可能としている。すなわち、動画や静止画等で構成され、かつ音声を伴った広告が、２〜３秒間隔を最小単位として、例えば１５秒、３０秒、１分等の単位で広告主に販売される。
そのような広告は、所定のアプリケーションソフトをシステムに組み込むことにより、予め定められたスケジュールに基いて、調理の終了を報知する整理番号の表示の合間に、客用モニタ５に流される。利用客は客用モニタ５の画面において、調理の終了を整理番号の点滅等で確認するだけでなく、動画や静止画等で構成され、かつ音声を伴った広告を見ることにより、土産品の参考にしたり、時間を潰したりすることができる。
【００４２】
図１６ないし図２３に券売機に追加メニュー（トッピング・サイドメニュー）機能を付加した例を示す。
図１６はこの発明の飲食店用券売機システムにおける券売機本体の表示用モニタの画面構成の例を示す説明図、図１７は追加メニュー選択画面を示す説明図、図１８は追加メニュー（トッピング・サイドメニュー）選択状態を示す説明図、図１９は追加メニュー（トッピング・サイドメニュー）選択が終わり、追加するボタンを押す状態を示す説明図、図２０は追加メニュー選択画面が終了した状態を示す説明図、図２１は交換用カード類の例を示す説明図、図２２は配膳表の例を示す説明図、図２３は厨房モニタの画面構成を示す説明図である。
図１６において各種メニューの選択欄（左側）、画像付きのメニュー表示（中央）、購入メニューリスト（右側）が配置され、下部にはＯＫキー等の各種操作キーが配置されている。上記図１６では最大１８のメニュー表示が可能となっている。
【００４３】
この画面３１において、「山菜うどん」のキーを押すと、図１７のように上記画面３１上に新しい追加メニュー選択画面３２が表示される。追加メニュー選択画面３２は、画像付きのメニュー表示３３と、その下部に設けた「閉じる／キャンセル」ボタン３４および「追加する」ボタン３５が設けられている。追加メニュー選択画面３２における背景色、文言、文字色は自由に変更可能である。また、「追加する」ボタン３５は追加メニュー（トッピング・サイドメニュー）を選択することによって押すことができるようになっている。
【００４４】
追加メニュー選択画面３２において、画像付きのメニュー表示３３を適宜押すことにより、その右欄に個数表示３６、金額表示３７および取消ボタン３８が表示される。個数表示３６はメニュー表示３３を押した数だけ追加される。また金額表示３７には追加メニュー（トッピング・サイドメニュー）毎の合計金額が表示される。また取消ボタン３８は追加メニュー（トッピング・サイドメニュー）毎に取消が可能である。
このような追加メニュー（トッピング・サイドメニュー）選択操作が終わると、選択済みメニューやその合計金額が下部の金額欄３９に表示される。
【００４５】
最後に選択済みメニューやその合計金額の表示を確認し終わったら、図１９のように「追加する」ボタン３５を押せばよい。この操作に応じて追加メニュー選択画面３２が終了して図２０の画面３１に戻るので、右欄の「プラスα」の表示４０を確認したら、ＯＫ（確認）ボタン４１を押す。
【００４６】
このような操作の結果、発券手段の発券口から適宜の構造の交換用カード類が発券される。この交換用カード類の１例を図２１に示す。この交換用カード類４２は、（ａ）３０ｍｍ通常券４２−１、（ｂ）３０ｍｍ半券４２−２と、（ｃ）４５ｍｍ半券４２−３の場合があるが、店舗に応じて適宜選択することができる。いずれの場合においても、追加メニュー（トッピング・サイドメニュー）のチケットにおいては、整理番号（発券No.）が反転してプリントされていることが望ましい。
【００４７】
厨房において調理が終わると、プリンタから料理メニューと整理番号等が印刷された配膳表が出力される。追加メニュー（トッピング・サイドメニュー）機能を付加した場合における配膳表の１例を図２２に示す。図では追加メニュー（トッピング・サイドメニュー）４３が配膳表のほぼ中央に点線で囲まれて表記され、同一追加メニュー（トッピング・サイドメニュー）が複数選択された場合には×数量で印字される。
【００４８】
図２３は厨房モニタ４４における表示例を示すもので、そのオーダ表示において追加メニュー（トッピング・サイドメニュー）は着信順表示の場合のみに表示される。追加メニュー（トッピング・サイドメニュー）は料理メニューの下に１字下げて表示され、また同一追加メニュー（トッピング・サイドメニュー）が複数選択された場合は、×数量で表示される。なお、図８、図９等のまとめ表示では追加メニュー（トッピング・サイドメニュー）は表示されない。
【００４９】
図２４はこの発明の飲食店用券売機システムの連売の際の全体の流れを示すフロー図、図２５は単売の際の全体の流れを示すフロー図である。
すなわち、図２４は連売フローにおけるチケットの例を示すものであり、次の手順で操作される。
まず、券売機のモニタには、スクリーンセイバ（ＣＭ画面等）が表示されている。その状態で顧客が所定の位置まで接近するか、画面にタッチしたとき、画面は購入画面に切り替わる。
図２４のフロー図において、顧客は次の手順で購入操作を行う。
購入１…お金を投入する。
購入２…ページを選択する。
購入３…メニュー中から商品を選択する。さらに注文があるときは、購入２〜購入３を繰り返す。
購入４…最終的に商品を確定する。
購入５…選択した商品ごとのチケットと、おつり・領収書が発行されるので、それを受け取る。もちろん、上記領収書を出力するか否かを設定することもできる。
上記購入４において商品が確定されると同時に、客用モニタと厨房モニタの双方に顧客の注文内容が通知される。
一方の厨房モニタにおいては、注文が受け付けられ、厨房における調理が完成すると（注文したメニューが消し込まれる。）、調理が完成した旨の受付がなされ、商品の提供により注文したメニューが消し込まれる。
客用モニタにおいては、注文が受け付けられた後、そのまま調理して調理が完成すると、顧客の呼出を行う。画面案内は、商品の提供があった後に消える。
その際、基本フローにおいて顧客は調理の完成をまってチケットを提示し、商品を受け取る。すなわち、
購入６…商品を受け取る。
以上が連売フローの場合についての説明である。
【００５０】
図２５は単売フローにおけるカード読取の例を示すものであり、次の手順で操作される。
まず、券売機のモニタには、スクリーンセイバ（ＣＭ画面等）が表示されている。その状態で顧客が所定の位置まで接近するか、画面にタッチしたとき、画面は購入画面に切り替わる。
上記図２５のフロー図において、顧客は次の手順で購入操作を行う。
購入１…お金を投入する。
購入２…ページを選択する。
購入３…メニュー中から商品を選択する。
購入４…購入３の操作の終了に伴い、交換用カード類が発行されるのでそれを受け取る。さらに注文があるときは、購入２〜購入４を繰り返す。
購入５…おつり・領収書が発行されるので、それを受け取る。もちろん、上記領収書を出力するか否かを設定することもできる。
上記購入４において交換用カード類が発行されると同時に、客用モニタと厨房モニタの双方に顧客の注文内容が通知される。
一方の厨房モニタにおいては、注文が受け付けられ、厨房における調理が完成すると（注文したメニューが消し込まれる）、調理が完成した旨の受付がなされ、交換用カード類を確認（商品の提供）してカードの読み取りを行い、メニューを消し込む。
客用モニタにおいては、注文が受け付けられた後、そのまま調理して調理が完成すると、顧客の呼出を行う。画面案内は、商品の提供があった後に消える。
その際、基本フローにおいて顧客は調理の完成をまって交換用カード類を提出し、顧客は商品を受け取る。すなわち、
購入６…交換用カード類が提示される。
購入７…それによって商品を受け取る。
以上が単売フローの場合についての説明である。
【産業上の利用可能性】
【００５１】
この発明における飲食店用券売機システムは、高速道路のサービスエリアやパーキングエリア内の飲食店のみならず、料金先払いでセルフサービス方式を採用した軽食コーナ等であればどのような場所、あるいはスタイルの飲食店でも利用することができる。
【図面の簡単な説明】
【００５２】
【図１】この発明に係る飲食店用券売機システムの１実施例を示す全体構成図である。
【図２】上記全体構成をホール側と厨房側とに分割配置した状態を示す概略図である。
【図３】この発明の飲食店用券売機システムに使用する券売機本体の構成図である。
【図４】券売機本体の表示用モニタの画面構成の例を示す説明図である。
【図５】別の画面構成を示す説明図である。
【図６】さらに別の画面構成を示す説明図である。
【図７】交換用カード類の記載例を示す説明図である。
【図８】厨房モニタの画面構成の例を示し、調理の完了に応じて最初の消し込みを行った状態において、調理済みメニューが反転表示されていることを示す説明図である。
【図９】最終消し込みを行なった状態を示す説明図である。
【図１０】厨房モニタの画面構成の別の例を示す説明図である。
【図１１】消し込みによって先詰め式に繰り上げられた状態を示す説明図である。
【図１２】客用モニタの画面構成の例を示す説明図である。
【図１３】調理中の画面構成の例を示す説明図である。
【図１４】調理完成状態の画面構成の例を示す説明図である。
【図１５】客用モニタにおいて広告を表示可能とした画面構成の例を示す説明図である。
【図１６】この発明の飲食店用券売機システムにおける券売機本体の表示用モニタの画面構成の例を示す説明図である。
【図１７】追加メニュー選択画面を示す説明図である。
【図１８】追加メニュー（トッピング・サイドメニュー）選択状態を示す説明図である。
【図１９】追加メニュー（トッピング・サイドメニュー）選択が終わり、追加するボタンを押す状態を示す説明図である。
【図２０】追加メニュー選択画面が終了した状態を示す説明図である。
【図２１】交換用カード類の例を示す説明図である。
【図２２】配膳表の例を示す説明図である。
【図２３】厨房モニタの画面構成を示す説明図である。
【図２４】この発明の飲食店用券売機システムの単売の際の全体の流れを示すフロー図である。
【図２５】連売の際の全体の流れを示すフロー図である。
【符号の説明】
【００５３】
１  自動券売機
２  表示用モニタ
３  パソコン
４  厨房モニタ
５  客用モニタ
６  プリンタ
７  交換用カード類の回収装置
１１  前面
１２  テーブル部分
１３  現金投入手段
１４  発券手段
１５  交換用カード類
１５−１  ３０ｍｍ通常券
１５−２  ３０ｍｍ半券
１５−３  ４５ｍｍ半券
１６  料理メニュー欄
１７  整理番号
１８  通信手段
１９  検知センサ
２０  カード挿入口
２１  呼出し手段
２２  料理メニュー
２３  整理番号
３１  画面
３２  追加メニュー選択画面
３３  画像付きのメニュー表示
３４  「閉じる／キャンセル」ボタン
３５  「追加する」ボタン
３６  個数表示
３７  金額表示
３８  取消ボタン
３９  金額欄
４０  「プラスα」の表示
４１  ＯＫ（確認）ボタン
４２  交換用カード類
４２−１  ３０ｍｍ通常券
４２−２  ３０ｍｍ半券
４２−３  ４５ｍｍ半券
４３  追加メニュー（トッピング・サイドメニュー）
４４  厨房モニタ画面
【図１】
2005202910.tif 000003
【図２】
2005202910.tif 000004
【図３】
2005202910.tif 000005
【図４】
2005202910.tif 000006
【図５】
2005202910.tif 000007
【図６】
2005202910.tif 000008
【図７】
2005202910.tif 000009
【図８】
2005202910.tif 000010
【図９】
2005202910.tif 000011
【図１０】
2005202910.tif 000012
【図１１】
2005202910.tif 000013
【図１２】
2005202910.tif 000014
【図１３】
2005202910.tif 000015
【図１４】
2005202910.tif 000016
【図１５】
2005202910.tif 000017
【図１６】
2005202910.tif 000018
【図１７】
2005202910.tif 000019
【図１８】
2005202910.tif 000020
【図１９】
2005202910.tif 000021
【図２０】
2005202910.tif 000022
【図２１】
2005202910.tif 000023
【図２２】
2005202910.tif 000024
【図２３】
2005202910.tif 000025
【図２４】
2005202910.tif 000026
【図２５】
2005202910.tif 000027
【手続補正書】
【提出日】平成17年5月23日(2005.5.23)
【手続補正１】
【補正対象書類名】特許請求の範囲
【補正対象項目名】全文
【補正方法】変更
【補正の内容】
【特許請求の範囲】
【請求項１】
飲食店用券売機が１または２以上のネットワークコントローラ付き自動券売機と、この自動券売機と通信手段によって接続された厨房および給仕用カウンタに設置されたネットワークコントローラ付き厨房モニタおよびネットワークコントローラ付き客用モニタとで構成され、
上記自動券売機は少なくとも、ネットワークコントローラ、現金投入手段、表示用モニタ、発券手段、および通信手段を備え、また表示用モニタにはタッチパネル式の入力装置が付設され、
上記厨房モニタはタッチパネル式の入力装置と、印字装置を備え、
また上記客用モニタは呼出し手段を備えており、
利用客は自動券売機の表示用モニタのメニュー表示を確認しながら、タッチパネル式の入力装置を操作して所望の料理メニューを選択し、交換用カード類の発行を受け、
利用客が入力装置を操作して所望のメニューを選択して交換用カード類が発行されると、その情報が厨房モニタに送信されてメニューと交換用カード類の整理番号とが表示されるので、厨房の担当者はそのメニューを見て調理に取りかかり、
上記交換用カード類の発行と同時に、給仕用カウンタに設置された客用モニタには少なくとも交換用カード類の整理番号が調理中を示す欄に表示され、
調理の終了に応じて厨房の担当者が厨房モニタに表示された料理メニューを調理済み表示に切替えると同時に、少なくとも当該料理メニューに対応する整理番号が印字され、配膳表として利用するものとし、
また厨房モニタに表示された料理メニューを調理済み表示に切替えると同時に、給仕用カウンタに設置された客用モニタの交換用カード類の番号が調理済みを示す欄に表示され、利用客が客用モニタの呼出し手段により給仕用カウンタまで呼び出されるようにし、
厨房の担当者は、利用客の提示した交換用カード類の整理番号を上記配膳表に記入された整理番号で確認し、交換用カード類と交換に料理メニューを提供し、
この料理メニューの提供後、厨房担当者は厨房モニタの調理済みメニューの調理済み表示を消し込み、
それと同時に客用モニタの番号表示も消去される、
ようにしたことを特徴とする飲食店用券売機を用いた料理提供方法。
【請求項２】
飲食店用券売機が１または２以上のネットワークコントローラ付き自動券売機と、この自動券売機と通信手段によって接続された厨房および給仕用カウンタに設置されたネットワークコントローラ付き厨房モニタおよびネットワークコントローラ付き客用モニタとで構成され、
上記自動券売機は少なくとも、ネットワークコントローラ、現金投入手段、表示用モニタ、発券手段、および通信手段を備え、また表示用モニタにはタッチパネル式の入力装置が付設され、
上記厨房モニタはタッチパネル式の入力装置と、印字装置を備え、
また上記客用モニタは呼出し手段を備えており、
利用客は自動券売機の表示用モニタの追加メニュー選択画面を含むメニュー表示を確認しながら、タッチパネル式の入力装置を操作して所望の料理メニューおよびトッピング用の追加メニューを選択し、交換用カード類の発行を受け、
利用客が入力装置を操作して所望のメニューを選択して交換用カード類が発行されると、その情報が厨房モニタに送信されて上記追加メニューを含むメニューと交換用カード類の整理番号とが表示されるので、厨房の担当者はそのメニューを見て調理に取りかかり、
上記交換用カード類の発行と同時に、給仕用カウンタに設置された客用モニタには少なくとも交換用カード類の整理番号が調理中を示す欄に表示され、
調理の終了に応じて厨房の担当者が厨房モニタに表示された料理メニューを調理済み表示に切替えると同時に、少なくとも上記追加メニューを含む当該料理メニューに対応する整理番号が印字され、配膳表として利用するものとし、
また厨房モニタに表示された料理メニューを調理済み表示に切替えると同時に、給仕用カウンタに設置された客用モニタの交換用カード類の番号が調理済みを示す欄に表示され、利用客が客用モニタの呼出し手段により給仕用カウンタまで呼び出されるようにし、
厨房の担当者は、利用客の提示した交換用カード類の整理番号を上記配膳表に記入された整理番号で確認し、交換用カード類と交換に料理メニューを提供し、
この料理メニューの提供後、厨房担当者は厨房モニタの調理済みメニューの調理済み表示を消し込み、
それと同時に客用モニタの番号表示も消去される、
ようにしたことを特徴とする飲食店用券売機を用いた料理提供方法。
【請求項３】
１または２以上のネットワークコントローラ付き自動券売機として、親券売機と１ないし２以上の子券売機とをネットワークで接続した複数の自動券売機を選択し、親券売機のみならず子券売機の仕様変更等の各券売機の設定を、サーバ機能を備えた親券売機を操作することにより行なえるようにしたことを特徴とする請求項１または２に記載の飲食店用券売機を用いた料理提供方法。
【請求項４】
自動券売機の表示用モニタが、料理メニュー以外の画像表示機能を有し、広告宣伝表示、推奨メニュー表示、あるいは各種の情報提供画面として、あるいは遠隔地のオペレータを映像若しくは画像表示して対面販売するために用いることを可能としたことを特徴とする請求項１または２に記載の飲食店用券売機を用いた料理提供方法。
【請求項５】
自動券売機の表示用モニタが、呼出しボタンの操作に応じて係員をこのモニタに表示し、対面状態でメンテナンス可能としたことを特徴とする請求項１または２に記載の飲食店用券売機を用いた料理提供方法。
【請求項６】
整理番号を介して利用客に調理済みを知らせる手段が、整理番号の点滅、報知ランプの点灯もしくは点滅、整理番号の調理済みポジションへの移行、整理番号の音声呼出し等からなることを特徴とする請求項１または２に記載の飲食店用券売機を用いた料理提供方法。
【請求項７】
厨房モニタの調理済みメニューの調理済み表示への変更が、調理済みメニューの反転表示からなることを特徴とする請求項１または２に記載の飲食店用券売機を用いた料理提供方法。
【請求項８】
客用モニタが、プラズマディスプレイまたは液晶ディスプレイからなることを特徴とする請求項１または２に記載の飲食店用券売機を用いた料理提供方法。
【請求項９】
客用モニタが、広告を表示可能としてなることを特徴とする請求項１または２に記載の飲食店用券売機を用いた料理提供方法。
【手続補正２】
【補正対象書類名】明細書
【補正対象項目名】全文
【補正方法】変更
【補正の内容】
【発明の詳細な説明】
【技術分野】
【０００１】
この発明は、料金先払いでセルフサービス方式を採用した軽食コーナ等で使用される、飲食店用券売機を用いた料理提供方法に関するものである。
【背景技術】
【０００２】
従来の料金先払いでセルフサービス方式を採用した軽食コーナ等における飲食店用券売機システムとしては、軽食コーナ等の入口やホール内に１以上の券売機を設置し、券売機において発行された食券を利用客が厨房に付設した給仕用カウンタに持参して、厨房で調理したものを利用客が受け取り、所定のテーブルへ運んで飲食するものが極めて一般的であった。
【０００３】
他方、料金先払い方式における飲食店用サービスシステムとして、飲食店の入口やホール内に１以上の券売機を設置し、券売機において購入した食券を利用客が飲食店内のテーブルに持参した上で、それを給仕人が厨房へ伝達し、厨房で調理したものを給仕人が上記テーブルへ運び、利用客がこれを飲食するものも知られている。このような料金先払い方式における飲食店用サービスシステムにおいては、食券を購入してから料理が配膳されるまでの待ち時間を短くするため、券売機において所定メニューの食券が購入された時点で厨房に調理の指示が伝達され、利用客がテーブルに着席した時点でテーブル番号が厨房に伝達されて上記メニューと連結されるようにしたものも用いられている。
【０００４】
特に、本件出願人の出願に係る特開２００２−１９７５４２公報（特許文献１参照）には、識別情報を表示された食券を発行する券売機、調理場に設置され上記券売機で発行された食券情報を受けて注文されたメニューを所定位置に表示する厨房モニタ、および調理完了入力により上記厨房モニタに表示された該当メニューを消す手段を設けるとともに、当該調理済みメニュー内容と識別情報とをプリントした配膳表を出力するプリンタを備え、前記食券に表示された識別情報と配膳表の識別情報を比較できるようにした飲食店用券売機システムが示されている。
【０００５】
また同様に特願２００２−４８８７２には、整理番号を記憶した記憶カードを発行する券売機、調理場に設置され上記券売機で発行されたカード情報を受けて注文されたメニューを所定位置に表示する厨房モニタ、および調理完了入力により上記厨房モニタに表示された該当メニューを消す手段を設けるとともに、客用モニタに整理番号を表示して利用客に調理の終了を報知し、前記記憶カードを利用客から受け取って端末機で読み取って、各モニタから整理番号を消し込むようにした飲食店用券売機システムが示されている。
【特許文献１】特開２００２−１９７５４２公報
【発明の開示】
【発明が解決しようとする課題】
【０００６】
以下に、券売機を用いた上記飲食店用券売機システムにおける問題点を列挙する。
（システム全体）
・メニューボタンを押して所定のメニューを購入してから料理が提供されるまでの利用客の待ち時間が長い。
・券売機でメニューボタンを押してメニューを購入後、厨房において実際に所定のメニューが調理されているかどうかを客の側から把握することが難しい。
・料理を別の利用客に提供するなどのトラブルが発生しやすい。
（券売機本体）
・メニューボタンとサンプルメニュー表示とを別々に作成する必要があるので手間がかかる。
・飲食店側において、新商品の登録や変更が難しいので、有償でその都度メーカーに依頼せざるをえない。
・券売機において、精算時における現金回収の手間がかかり過ぎる。
・札やコイン等の現金が投入しづらい。
【課題を解決するための手段】
【０００７】
以上の問題点を解消し、かつ上記目的を達成するためこの発明の飲食店用券売機を用いた料理提供方法は、
飲食店用券売機が１または２以上のネットワークコントローラ付き自動券売機と、この自動券売機と通信手段によって接続された厨房および給仕用カウンタに設置されたネットワークコントローラ付き厨房モニタおよびネットワークコントローラ付き客用モニタとで構成され、
上記自動券売機は少なくとも、ネットワークコントローラ、現金投入手段、表示用モニタ、発券手段、および通信手段を備え、また表示用モニタにはタッチパネル式の入力装置が付設され、
上記厨房モニタはタッチパネル式の入力装置と、印字装置を備え、
また上記客用モニタは呼出し手段を備えており、
利用客は自動券売機の表示用モニタのメニュー表示を確認しながら、タッチパネル式の入力装置を操作して所望の料理メニューを選択し、交換用カード類の発行を受け、
利用客が入力装置を操作して所望のメニューを選択して交換用カード類が発行されると、その情報が厨房モニタに送信されてメニューと交換用カード類の整理番号とが表示されるので、厨房の担当者はそのメニューを見て調理に取りかかり、
上記交換用カード類の発行と同時に、給仕用カウンタに設置された客用モニタには少なくとも交換用カード類の整理番号が調理中を示す欄に表示され、
調理の終了に応じて厨房の担当者が厨房モニタに表示された料理メニューを調理済み表示に切替えると同時に、少なくとも当該料理メニューに対応する整理番号が印字され、配膳表として利用するものとし、
また厨房モニタに表示された料理メニューを調理済み表示に切替えると同時に、給仕用カウンタに設置された客用モニタの交換用カード類の番号が調理済みを示す欄に表示され、利用客が客用モニタの呼出し手段により給仕用カウンタまで呼び出されるようにし、
厨房の担当者は、利用客の提示した交換用カード類の整理番号を上記配膳表に記入された整理番号で確認し、交換用カード類と交換に料理メニューを提供し、
この料理メニューの提供後、厨房担当者は厨房モニタの調理済みメニューの調理済み表示を消し込み、
それと同時に客用モニタの番号表示も消去される、
ようにしたことを特徴とするものである。
【０００８】
またこの発明の飲食店用券売機を用いた料理提供方法は、
飲食店用券売機が１または２以上のネットワークコントローラ付き自動券売機と、この自動券売機と通信手段によって接続された厨房および給仕用カウンタに設置されたネットワークコントローラ付き厨房モニタおよびネットワークコントローラ付き客用モニタとで構成され、
上記自動券売機は少なくとも、ネットワークコントローラ、現金投入手段、表示用モニタ、発券手段、および通信手段を備え、また表示用モニタにはタッチパネル式の入力装置が付設され、
上記厨房モニタはタッチパネル式の入力装置と、印字装置を備え、
また上記客用モニタは呼出し手段を備えており、
利用客は自動券売機の表示用モニタの追加メニュー選択画面を含むメニュー表示を確認しながら、タッチパネル式の入力装置を操作して所望の料理メニューおよびトッピング用の追加メニューを選択し、交換用カード類の発行を受け、
利用客が入力装置を操作して所望のメニューを選択して交換用カード類が発行されると、その情報が厨房モニタに送信されて上記追加メニューを含むメニューと交換用カード類の整理番号とが表示されるので、厨房の担当者はそのメニューを見て調理に取りかかり、
上記交換用カード類の発行と同時に、給仕用カウンタに設置された客用モニタには少なくとも交換用カード類の整理番号が調理中を示す欄に表示され、
調理の終了に応じて厨房の担当者が厨房モニタに表示された料理メニューを調理済み表示に切替えると同時に、少なくとも上記追加メニューを含む当該料理メニューに対応する整理番号が印字され、配膳表として利用するものとし、
また厨房モニタに表示された料理メニューを調理済み表示に切替えると同時に、給仕用カウンタに設置された客用モニタの交換用カード類の番号が調理済みを示す欄に表示され、利用客が客用モニタの呼出し手段により給仕用カウンタまで呼び出されるようにし、
厨房の担当者は、利用客の提示した交換用カード類の整理番号を上記配膳表に記入された整理番号で確認し、交換用カード類と交換に料理メニューを提供し、
この料理メニューの提供後、厨房担当者は厨房モニタの調理済みメニューの調理済み表示を消し込み、
それと同時に客用モニタの番号表示も消去される、
ようにしたことをも特徴とするものである。
【０００９】
この発明の飲食店用券売機を用いた料理提供方法は、上記自動券売機が、親券売機と１ないし２以上の子券売機とをネットワークで接続した複数の自動券売機からなり、親券売機のみならず子券売機の仕様変更等の各券売機の設定を、サーバ機能を備えた親券売機を操作することにより行なえるようにしたことをも特徴とするものである。
【００１０】
この発明の飲食店用券売機を用いた料理提供方法は、上記自動券売機の表示用モニタが、料理メニュー以外の画像表示機能を有し、広告宣伝表示、推奨メニュー表示、あるいは各種の情報提供画面として、あるいは遠隔地のオペレータを映像若しくは画像表示して対面販売するために用いることを可能としたことをも特徴とするものである。
【００１１】
この発明の飲食店用券売機を用いた料理提供方法は、上記自動券売機の表示用モニタが、呼出しボタンの操作に応じて係員をこのモニタに表示し、対面状態でメンテナンス可能としたことをも特徴とするものである。
【００１２】
この発明の飲食店用券売機を用いた料理提供方法は、上記整理番号を介して利用客に調理済みを知らせる手段が、整理番号の点滅、報知ランプの点灯もしくは点滅、整理番号の調理済みポジションへの移行、整理番号の呼出し等からなることをも特徴とするものである。
【００１３】
この発明の飲食店用券売機を用いた料理提供方法は、上記厨房モニタの調理済みメニューの調理済み表示への変更が、調理済みメニューの反転表示からなることをも特徴とするものである。
【００１４】
この発明の飲食店用券売機を用いた料理提供方法は、上記給仕用カウンタに設置された客用モニタが、プラズマディスプレイまたは液晶ディスプレイからなることをも特徴とするものである。
【００１５】
この発明の飲食店用券売機を用いた料理提供方法は、上記客用モニタが、広告を表示可能としてなることをも特徴とするものである。
【発明の効果】
【００１６】
この発明における飲食店用券売機を用いた料理提供方法によれば、券売機から交換用カード類が発行されるとすぐに料理メニューの選択情報を受けて厨房モニタに注文された料理メニューおよび交換用カード類の整理番号が表示され、調理完了入力があるまで消えない。同様に客用モニタにも交換用カード類の整理番号が表示され、利用客に自分の料理メニューが調理中であることを告知するので利用客は安心して調理の完了を待つことができる。
また、交換用カード類には整理番号が印字されており、調理完了を入力することにより客用モニタに表示された整理番号が調理完了を告知し、また整理番号を印字した配膳表がプリンタから出力されるので、整理番号を照合して料理メニューを提供することができ、料理メニューの提供ミスを解消することができるようになった。
【００１７】
またこの発明に係る飲食店用券売機を用いた料理提供方法は、ホール内に設置した客用モニタと厨房モニタの消し込みが連動しているので、厨房モニタの料理メニューおよび交換用カード類の整理番号の表示により、厨房の担当者の作業を行いやすくするとともに、客用モニタの整理番号の表示により利用客は自分の料理メニューが調理中か完了したかを確実に知ることができる。このようにして、利用客により近い立場でサービスを提供することができる。
【００１８】
上記飲食店用券売機を用いた料理提供方法におけるその他の作用効果を列挙すると次の通りである。
（システム全体）
・料理メニューを選択して交換用カード類を購入すると同時に、料理メニューを厨房モニタに表示し、同時に客用モニタ（利用客席側表示）にも整理番号を表示するとともに、調理完了後は厨房側で消し込むと同時に整理番号を点滅させ、発行された交換用カード類を利用客からカウンターで受取り、交換用カード類の整理番号と配膳表の整理番号とを確認した上で商品を渡すので、非常に合理的に作業を行なうことができる。
・ネットワークに無線式（電源のみで配線をなくす）を採用することができ、設置等の際に配線工事等の手間がかからない。
・券売機本体や厨房モニタ、客用モニタ等において、ボイス機能（利用客の呼出しや、調理時間等を音声で案内する）を採用することにより、利用客のサービス向上につながる。
・調理終了後、客用モニタ（利用客席側表示）において番号が点滅するだけでなく、音声案内の機能も加える(売店選択可能)ことにより、呼び出しが確実に行なえるようになる。
（券売機本体）
・音声ガイダンスに基づいて料理メニューを選択し、現金投入（バリアフリー型）後、交換用カード類（ロ一ル紙も使用可能）を発行する。したがって券売機を効率よく作動させることができる。
・また金銭をそれぞれ複数の紙幣ごと、あるいは複数の硬貨ごとに一括投入できるようにするだけでなく、ＩＣカード、プリペイドカード、ＳＦカード（サイバネ規格準拠）、クレジットカード等の各種のカード類も使用可能とすることにより、利用客の便宜を図ることができる。
・ポイントカード等の機能も搭載可能とする。
・メニュー変更は券売機本体において、あるいはサーバ側からデータを配信して行なうことができ、いちいちサービスマンを呼ぶ必要がない。すなわち、料理メニューや価格等のデータ改正は、インターネット・イントラネットなどのオンライン操作によりサーバのメニューを変更することが可能であり、また券売機側において外付メモリから読み込みすることにより、入力ミスを防いで、迅速かつ確実に行えるようにする。
・同様に売上記録もオンラインまたは外付メモリに出力することにより、入力ミスを防いで、迅速かつ確実に行えるようにする。
・表示用モニタに例えばスクリーンセイバ機能を持たせることにより、メニューの紹介や売店商品の宣伝効果を高めることができる。
・現金回収方法は防犯上および回収の手間を考慮し、券売機本体からカセット方式で取り出しやすくする。
・券売機本体に内蔵されたセンサにより、利用客を感知して券売機が音声案内とともに自動的に購入画面に切り換わるようにする。休止の間はスクリーンセイバ等を用いてお勧めメニューや新規メニューの紹介その他、種々の宣伝広告を行ったり、イベント紹介等を行えるようにする。
・呼出しボタンの操作に応じて、設定されたモニタにその旨報知されるようにする。
・券売機のサイズは、利用客が現金投入するテーブル部分までを身障者（車いす）の利用可能な高さとしてバリアフリー化する。
【発明を実施するための最良の形態】
【００１９】
以下、この発明に係る飲食店用券売機を用いた料理提供方法の実施の形態を図面に基づいて詳細に説明する。図１はこの発明に係る飲食店用券売機を用いた料理提供方法の１実施例を示す全体構成図、図２は上記全体構成をホール側と厨房側とに分割配置した状態を示す概略図、図３はこの発明の飲食店用券売機を用いた料理提供方法に使用する券売機本体の構成図、図４は券売機本体の表示用モニタの画面構成の例を示す説明図、図５は別の画面構成を示す説明図、図６はさらに別の画面構成を示す説明図、図７は交換用カード類の記載例を示す説明図、図８は厨房モニタの画面構成の例を示し、調理の完了に応じて最初の消し込みを行った状態において、調理済みメニューが反転表示されていることを示す説明図、図９は最終消し込みを行なった状態を示す説明図、図１０は厨房モニタの画面構成の別の例を示す説明図、図１１は消し込みによって先詰め式に繰り上げられた状態を示す説明図、図１２は客用モニタの画面構成の例を示す説明図、図１３は調理中の画面構成の例を示す説明図、図１４は調理完成状態の画面構成の例を示す説明図、図１５は客用モニタに広告を表示可能とした画面構成の例を示す説明図である。
【００２０】
図１および図２において、１は整理番号等を印字した交換用カード類を、表示用モニタ２の料理メニューに触れることにより発行するネットワークコントローラ付き自動券売機である。この券売機１は主にサーバを備えた親機と複数の子機とで構成するネットワーク対応型であり、したがって、整理番号が複数の自動券売機で同一のものが発生しないようになっている。もちろん、有線あるいは無線通信等でデータのやり取りが行なえるものであることが望ましい。また３はパソコンで、事務所やコントロールセンター等に設置されており、上記券売機１とネットワークを介して接続されている。なおこのパソコン３は、サーバを備えた親機に各種データの記憶手段や処理能力を備えさせておくことにより、これを省略することができる。
６は厨房モニタ４に付設した配膳表を打ち出すプリンタ、７は厨房モニタ４に付設した交換用カード類の回収装置である。なお交換用カード類の回収装置に例えばカードに記憶させた整理番号等のデータを読み取らせれば、交換用カード類の整理番号の照合を迅速に行なうことができるとともに、指でタッチしなくても消し込み操作を行うことができる。
【００２１】
上記券売機１において特に親機は、図３に示すような構成からなっている。すなわち、券売機１はサーバを備えるとともにネットワークコントローラを内蔵するよう構成され、前面１１には表示用モニタ２が取り付けられている。この表示用モニタ２にはタッチパネル式の入力装置が付設され、表示用モニタ２に表示される料理メニューに触れることにより、当該料理メニューの入力を行なうことができる。また券売機１の前面１１のテーブル部分１２には、それぞれ複数の紙幣ごとや複数の硬貨ごとに一括して投入することが可能な投入口を備えた現金投入手段１３が設けられている。したがって、現金をこの投入口へ投入し、表示用モニタ２のタッチパネル式の料理メニューに触れることにより、当該料理メニューの入力を行なうことができるのである。
もちろん、現金のみならず、ＩＣカード、プリペイドカード、ＳＦカード（サイバネ規格準拠）、クレジットカード等の各種のカード類も使用可能とすることができる。
【００２２】
券売機１の表示用モニタ２の画面構成の１例を図４に示す。図では各種メニューの選択欄（左側）、画像付きのメニュー表示（中央）、購入メニューリスト（右側）が配置され、下部にはＯＫキー等の各種操作キーが配置されている。また図５では最大１２のメニュー表示が可能であり、図６では最大１８のメニュー表示が可能である。
もちろん、各グループを１画面として、各頁を簡単なキー操作でページ送り可能としてもよい。
【００２３】
なお、親機の券売機１にはサーバを設けてあるが、子機の券売機１にはそのようなサーバは不要であり、親機を含めたネットワーク上に当該子機の情報を流せるようになっていれば充分である。すなわち、パソコン３側から親機の券売機１のサーバを操作することにより、あるいはネットワーク上における対象券売機１の操作により、ブラウザ等の閲覧ソフトを用いて、料理メニューの一新、価格の変更や表示用モニタの画面構成の変更等の、券売機の仕様変更、とりわけ子機の仕様変更が簡単に行なえるのである。
【００２４】
図３において１４は発券手段で、現金や、ＩＣカード、プリペイドカード、ＳＦカード（サイバネ規格準拠）、クレジットカード等の各種のカード類を挿入口から投入し、表示用モニタ２のタッチパネル式の料理メニューに触れることにより、当該料理メニューの入力を行なうと、発券手段１４の発券口から適宜の構造の交換用カード類が発券される。この交換用カード類の例を図７に示す。この交換用カード類１５としては（ａ）３０ｍｍ通常券１５−１、（ｂ）３０ｍｍ半券１５−２、（ｃ）４５ｍｍ半券、その他のカード類が用意してある。
上記交換用カード類１５には料理メニュー欄１６と利用客の整理番号１７とを印字してある。最低限必要な記載事項は整理番号１７である。もちろん、日付や時刻、単価等の表示があってもよい。
この例では印字可能なカードを示したが、リライトして繰り返し使用可能なプリペイドカード等の磁気カード、ＩＣカード、非接触ＩＣスティックや、料理メニューにそれぞれ対応した複数の種類のカード等をストックして利用することも可能である。
【００２５】
１８は通信手段で、光ファイバ等の有線や無線通信手段、例えば無線ＬＡＮやＳＳ無線機、ＰＨＳその他の無線通信装置が使用可能である。もちろん、パソコン３のブラウザ等の閲覧ソフトを用いて、どこにいてもＶＰＮやインターネット、イントラネット等に接続可能であることが望ましい。
【００２６】
１９は利用客の検知センサで、券売機１の正面に取り付けられており、利用客が券売機１に近付いたことを感知して、表示用モニタ２が自動的に待機画面から操作画面に切り替わる。したがって、待機画面においてスクリーンセイバ機能を用い、券売機における各種の説明、販売促進のみならず、種々の宣伝や広告等に利用することができる。２０はカード挿入口である。
【００２７】
２１は呼出し手段で、利用客が券売機１の操作時にトラブルを生じた際にこの呼出し手段２１を押すと、厨房モニタもしくは遠隔地のコントロールセンターに信号が送信され、オペレータが表示用モニタ２に登場して対話式に上記トラブルの解消を図ることができるようになっている。その際、利用客とオペレータは表示用モニタ２を介して双方向で対話することが可能で、リアルタイムでしかも具体的にトラブル処理の支持を仰ぐことができるので、利用客への対応がより緻密に行なうことが可能となる。
【００２８】
次にネットワークコントローラ付きの厨房モニタ４は調理場に近接して設置され、タッチパネル式の入力装置と、プリンタ６等の感熱式等の印字装置を備えている。
すなわち、利用客が券売機１の表示用モニタ２に表示された所望のメニューを選択して交換用カード類が発行されると、その情報が直接、厨房モニタ４（ネットワークコントローラ）に送信され、画面上に料理メニューと交換用カード類の整理番号とが表示される。厨房の担当者はその料理メニューを見て即座に調理に取りかかることができる。
【００２９】
上記厨房モニタ４の画面は図８ないし図１１に示す通りである。すなわち、メニューまとめ表示画面（図８および図９）においては、画面上に料理メニュー２２とそれに対応する１以上の交換用カード類の整理番号２３とが表示される。この表示は交換用カード類の発行に応じて先詰め式に配列される。もちろん、画面上に料理メニュー２２と交換用カード類の整理番号２３とが表示されてから何分経過したかを分刻みで表示し、調理のスピードアップを図ることもできる。その場合には、例えば画面表示を順次、何分は青、何分は黄色、何分は赤というように色が変わるようにしておくことが可能である。もちろん、上記において何色を使用するかは自由である。
【００３０】
図８の画面はオーダー状況を示す画面であり、中華丼の欄の右側３個が最初の消し込みにより反転表示されている。図９の画面は最終の消し込みにより、表示されている料理メニューが調理中であることを示している。すなわち、調理が完了して厨房の担当者が最上段の料理メニューに触れると、タッチパネル式の入力装置にその料理メニューに対し１回目の消し込みが行なわれる。その際、当該料理メニューは消えるのではなく白黒（白抜きとベタ）反転するようになっている。次に配膳を確認して上記反転表示に触れることにより、調理の完了を確定することができる。
図８および図９において料理メニューは上下に仕切られており、上部は注文の多い料理メニューを固定して表示した固定項目となっており、下部はそれ以外の料理メニューを移動可能に表示した流動項目となっている。もちろん、料理メニューは上下に仕切らず、全体を流動項目とすることもできる。
【００３１】
図１０および図１１の画面はオーダ受付順を示す表示であり、左側の上部２個が最初の消し込みにより反転表示されている。すなわち、調理が完了して厨房の担当者が最上段の料理メニューに触れると、タッチパネル式の入力装置にその料理メニューに対し１回目の消し込みが行なわれる。そして、図１１の画面は最上段のメニュー欄が最終の消し込みにより、先詰め式に繰り上げられた状態を示している。
【００３２】
上記プリンタ６は配膳表を印字するためのもので、調理の終了に応じて厨房の担当者が厨房モニタ４に表示された料理メニューを消し込むと同時に、少なくとも当該料理メニューに対応する整理番号が印字され、配膳表として利用される。もちろん、配膳表の印字をメニューの購入による交換用カード類の発行とともに、あるいは料理メニューの提供時に行ってもよい。
【００３３】
次にホールに近接して設置されたネットワークコントローラ付き客用モニタ５について説明する。この客用モニタ５もネットワークを介して券売機１に接続されている。そして、利用客が券売機１の表示用モニタ２に表示された所望のメニューを選択して交換用カード類が発行されると、その情報が直接厨房モニタ４（ネットワークコントローラ）のみならず、客用モニタ５（ネットワークコントローラ）にも送信され、その画面上に交換用カード類の整理番号が先詰め式に表示される。利用客はその整理番号を見て自分の料理メニューが調理のどの段階かを把握することができるので、いらいらして待つことがなくなる。
【００３４】
図１２ないし図１４にネットワークコントローラ付き客用モニタ５の画面構成の１例を示す。図１２では調理中のものと調理済みのものとが横に並べられて表示されている。そして図１３は調理中の画面構成の例を示している。図１４は調理完成状態の画面構成の例を示し、両表示は選択可能である。
もちろん上記において、左右で色を変えることにより、例えば調理中は青、調理済みは赤とすることにより、利用客は自然に調理の完了を把握することが可能となる。また両者を混在させて注文の順序に並べておくこともできる。もちろん、上記において何色を使用するかは自由である。
なお、上記客用モニタ５は呼出し手段を備えている。この呼出し手段としては、整理番号の点滅、報知ランプの点灯もしくは点滅、整理番号の調理済みポジションへの移行、整理番号の音声による呼出し等が考えられる。
【００３５】
上記客用モニタ５としては、充分な明るさと解像度、大画面とすることが容易である点等から、プラズマディスプレイ・液晶ディスプレイを好適に利用することができる。もちろん、このプラズマディスプレイ・液晶ディスプレイは薄型で場所を取ることがないというメリットを有しており、給仕用カウンタ等の一般に狭いスペースには好都合である。
【００３６】
次に動作手順について説明する。まず、利用客が自動券売機１に金銭を投入し、表示用モニタ２のメニュー選択画面から料理メニューを選択すると、選択したメニュー内容が白黒反転したり、点滅したりする。そこで利用客は自分の選択したメニューを確認し、確認ボタン等を押して注文すれば（行程１）、整理番号の付された交換用カード類が発行される（行程２）。と同時に、自動券売機１で発行された交換用カード類の例えばメニューや整理番号等は、直接ネットワークコントローラの通信機能を介して全調理場の厨房モニタ４（ネットワークコントローラ）のみならず、ホール内に設置した客用モニタ５（ネットワークコントローラ）に送信される（行程３）。厨房モニタ４には注文された順に料理メニューや整理番号等が表示される（行程４）。厨房モニタ４には、料理メニューの表示や注文の順序を示す優先順位の表示、色の変化による仕掛かり時間の表示のみならず、上記交換用カード類に付された整理番号等の情報が画面表示される（行程５）。
【００３７】
利用客がセルフサービスのサービスカウンタにつくと、すでに調理が始まっており、短時間で料理が調理されてサービスカウンタに提供される（行程６）。もしも一定時間が経過しても料理が完成しない場合は、厨房モニタ４のメニュー等の色が変化（青→黄→赤）して、その督促を行なうようになっている。もちろん、上記において何色を使用するかは自由である。
調理が終了した際、厨房の担当者は厨房モニタ４のタッチパネルを操作して消し込みを行なう（行程７）。
すると、厨房モニタ４の画面において該当メニューが白黒反転し、客用モニタ５において整理番号の点滅、報知ランプの点灯もしくは点滅、整理番号の調理済みポジションへの移行、もしくは整理番号の音声による呼出し等の呼出しが発動する。また、プリンタ６から料理メニューと整理番号等が印刷された配膳表が出力される（行程８）。
【００３８】
利用客の所持している交換用カード類には整理番号が記入されているので、利用客は調理済みの報知に応じて給仕用カウンタで交換用カード類を手渡す。そこで厨房の担当者が利用客から前記交換用カード類を受け取って整理番号を確認し、厨房の担当者（例えば調理人）は料理メニューを利用客に提供する（行程９）。最後に、厨房モニタ４から上記料理メニューや整理番号が消され、同時に客用モニタ５の整理暗号の表示も消される。
なお、上記交換用カード類を磁気カード等のデータの書き込み機能を備えたものとし、端末機で交換用カード類の情報を読み取らせ、整理番号の照合を自動的に行なうこともできる。
【００３９】
上述の動作説明からも判るように、利用客は交換用カード類の整理番号を見て、客用モニタ５の整理番号の表示により自分の注文したメニューの調理の進み具合を確認することができる。しかも、調理の終了を客用モニタ５の画面における整理番号の点滅等で確認することができ、確認後ただちに交換用カード類を客用モニタのあるカウンタに持参すればよいので、調理の行なわれている時間も安心して待つことができる。
【００４０】
また、交換用カード類の発行と同時に厨房モニタにメニューが表示され、料理が注文されてから利用客に提供されるまでの各作業を省力化することができるとともに、利用客がサービスカウンタに交換用カード類を提示した時点で、厨房の担当者が交換用カード類に表示された整理番号と配膳表にプリントされた整理番号とを照合するだけで、注文されている料理と提供すべき利用客とを正確に連結させることができ、調理完了後も注文された順序を守りながら円滑な料理の提供を行うことができる。
さらに、利用客が自動券売機１から直接交換用カード類を購入するのでレジ係が不要となる上、自動券売機１から交換用カード類が発行された時点で厨房モニタ４に注文された料理メニューが表示されるので、調理に早く取り掛かることができ、利用客が料理を待つ時間を短縮できるとともに、店舗の利用客回転率向上にも結び付く。
【００４１】
図１５に客用モニタ５を広告を表示可能とした画面構成の例を示す。すなわち、図１５の場合、プラズマディスプレイ・液晶ディスプレイからなる画面の上部に文字情報を定期的に流している。この文字情報には、帯状の道路情報やニュース、広告情報等が含まれている。
さらに、画面の主要な部分には、広告を表示可能としている。すなわち、動画や静止画等で構成され、かつ音声を伴った広告が、２〜３秒間隔を最小単位として、例えば１５秒、３０秒、１分等の単位で広告主に販売される。
そのような広告は、所定のアプリケーションソフトをシステムに組み込むことにより、予め定められたスケジュールに基いて、調理の終了を報知する整理番号の表示の合間に、客用モニタ５に流される。利用客は客用モニタ５の画面において、調理の終了を整理番号の点滅等で確認するだけでなく、動画や静止画等で構成され、かつ音声を伴った広告を見ることにより、土産品の参考にしたり、時間を潰したりすることができる。
【００４２】
図１６ないし図２３に券売機に追加メニュー（トッピング・サイドメニュー）機能を付加した例を示す。
図１６はこの発明の飲食店用券売機を用いた料理提供方法における券売機本体の表示用モニタの画面構成の例を示す説明図、図１７は追加メニュー選択画面を示す説明図、図１８は追加メニュー（トッピング・サイドメニュー）選択状態を示す説明図、図１９は追加メニュー（トッピング・サイドメニュー）選択が終わり、追加するボタンを押す状態を示す説明図、図２０は追加メニュー選択画面が終了した状態を示す説明図、図２１は交換用カード類の例を示す説明図、図２２は配膳表の例を示す説明図、図２３は厨房モニタの画面構成を示す説明図である。
図１６において各種メニューの選択欄（左側）、画像付きのメニュー表示（中央）、購入メニューリスト（右側）が配置され、下部にはＯＫキー等の各種操作キーが配置されている。上記図１６では最大１８のメニュー表示が可能となっている。
【００４３】
この画面３１において、「山菜うどん」のキーを押すと、図１７のように上記画面３１上に新しい追加メニュー選択画面３２が表示される。追加メニュー選択画面３２は、画像付きのメニュー表示３３と、その下部に設けた「閉じる／キャンセル」ボタン３４および「追加する」ボタン３５が設けられている。追加メニュー選択画面３２における背景色、文言、文字色は自由に変更可能である。また、「追加する」ボタン３５は追加メニュー（トッピング・サイドメニュー）を選択することによって押すことができるようになっている。
【００４４】
追加メニュー選択画面３２において、画像付きのメニュー表示３３を適宜押すことにより、その右欄に個数表示３６、金額表示３７および取消ボタン３８が表示される。個数表示３６はメニュー表示３３を押した数だけ追加される。また金額表示３７には追加メニュー（トッピング・サイドメニュー）毎の合計金額が表示される。また取消ボタン３８は追加メニュー（トッピング・サイドメニュー）毎に取消が可能である。
このような追加メニュー（トッピング・サイドメニュー）選択操作が終わると、選択済みメニューやその合計金額が下部の金額欄３９に表示される。
【００４５】
最後に選択済みメニューやその合計金額の表示を確認し終わったら、図１９のように「追加する」ボタン３５を押せばよい。この操作に応じて追加メニュー選択画面３２が終了して図２０の画面３１に戻るので、右欄の「プラスα」の表示４０を確認したら、ＯＫ（確認）ボタン４１を押す。
【００４６】
このような操作の結果、発券手段の発券口から適宜の構造の交換用カード類が発券される。この交換用カード類の１例を図２１に示す。この交換用カード類４２は、（ａ）３０ｍｍ通常券４２−１、（ｂ）３０ｍｍ半券４２−２と、（ｃ）４５ｍｍ半券４２−３の場合があるが、店舗に応じて適宜選択することができる。いずれの場合においても、追加メニュー（トッピング・サイドメニュー）のチケットにおいては、整理番号（発券No.）が反転してプリントされていることが望ましい。
【００４７】
厨房において調理が終わると、プリンタから料理メニューと整理番号等が印刷された配膳表が出力される。追加メニュー（トッピング・サイドメニュー）機能を付加した場合における配膳表の１例を図２２に示す。図では追加メニュー（トッピング・サイドメニュー）４３が配膳表のほぼ中央に点線で囲まれて表記され、同一追加メニュー（トッピング・サイドメニュー）が複数選択された場合には×数量で印字される。
【００４８】
図２３は厨房モニタ４４における表示例を示すもので、そのオーダ表示において追加メニュー（トッピング・サイドメニュー）は着信順表示の場合のみに表示される。追加メニュー（トッピング・サイドメニュー）は料理メニューの下に１字下げて表示され、また同一追加メニュー（トッピング・サイドメニュー）が複数選択された場合は、×数量で表示される。なお、図８、図９等のまとめ表示では追加メニュー（トッピング・サイドメニュー）は表示されない。
【００４９】
図２４はこの発明の飲食店用券売機を用いた料理提供方法の連売の際の全体の流れを示すフロー図、図２５は単売の際の全体の流れを示すフロー図である。
すなわち、図２４は連売フローにおけるチケットの例を示すものであり、次の手順で操作される。
まず、券売機のモニタには、スクリーンセイバ（ＣＭ画面等）が表示されている。その状態で顧客が所定の位置まで接近するか、画面にタッチしたとき、画面は購入画面に切り替わる。
図２４のフロー図において、顧客は次の手順で購入操作を行う。
購入１…お金を投入する。
購入２…ページを選択する。
購入３…メニュー中から商品を選択する。さらに注文があるときは、購入２〜購入３を繰り返す。
購入４…最終的に商品を確定する。
購入５…選択した商品ごとのチケットと、おつり・領収書が発行されるので、それを受け取る。もちろん、上記領収書を出力するか否かを設定することもできる。
上記購入４において商品が確定されると同時に、客用モニタと厨房モニタの双方に顧客の注文内容が通知される。
一方の厨房モニタにおいては、注文が受け付けられ、厨房における調理が完成すると（注文したメニューが消し込まれる。）、調理が完成した旨の受付がなされ、商品の提供により注文したメニューが消し込まれる。
客用モニタにおいては、注文が受け付けられた後、そのまま調理して調理が完成すると、顧客の呼出を行う。画面案内は、商品の提供があった後に消える。
その際、基本フローにおいて顧客は調理の完成をまってチケットを提示し、商品を受け取る。すなわち、
購入６…商品を受け取る。
以上が連売フローの場合についての説明である。
【００５０】
図２５は単売フローにおけるカード読取の例を示すものであり、次の手順で操作される。
まず、券売機のモニタには、スクリーンセイバ（ＣＭ画面等）が表示されている。その状態で顧客が所定の位置まで接近するか、画面にタッチしたとき、画面は購入画面に切り替わる。
上記図２５のフロー図において、顧客は次の手順で購入操作を行う。
購入１…お金を投入する。
購入２…ページを選択する。
購入３…メニュー中から商品を選択する。
購入４…購入３の操作の終了に伴い、交換用カード類が発行されるのでそれを受け取る。さらに注文があるときは、購入２〜購入４を繰り返す。
購入５…おつり・領収書が発行されるので、それを受け取る。もちろん、上記領収書を出力するか否かを設定することもできる。
上記購入４において交換用カード類が発行されると同時に、客用モニタと厨房モニタの双方に顧客の注文内容が通知される。
一方の厨房モニタにおいては、注文が受け付けられ、厨房における調理が完成すると（注文したメニューが消し込まれる）、調理が完成した旨の受付がなされ、交換用カード類を確認（商品の提供）してカードの読み取りを行い、メニューを消し込む。
客用モニタにおいては、注文が受け付けられた後、そのまま調理して調理が完成すると、顧客の呼出を行う。画面案内は、商品の提供があった後に消える。
その際、基本フローにおいて顧客は調理の完成をまって交換用カード類を提出し、顧客は商品を受け取る。すなわち、
購入６…交換用カード類が提示される。
購入７…それによって商品を受け取る。
以上が単売フローの場合についての説明である。
【産業上の利用可能性】
【００５１】
この発明における飲食店用券売機を用いた料理提供方法は、高速道路のサービスエリアやパーキングエリア内の飲食店のみならず、料金先払いでセルフサービス方式を採用した軽食コーナ等であればどのような場所、あるいはスタイルの飲食店でも利用することができる。
【図面の簡単な説明】
【００５２】
【図１】この発明に係る飲食店用券売機を用いた料理提供方法の１実施例を示す全体構成図である。
【図２】上記全体構成をホール側と厨房側とに分割配置した状態を示す概略図である。
【図３】この発明の飲食店用券売機を用いた料理提供方法に使用する券売機本体の構成図である。
【図４】券売機本体の表示用モニタの画面構成の例を示す説明図である。
【図５】別の画面構成を示す説明図である。
【図６】さらに別の画面構成を示す説明図である。
【図７】交換用カード類の記載例を示す説明図である。
【図８】厨房モニタの画面構成の例を示し、調理の完了に応じて最初の消し込みを行った状態において、調理済みメニューが反転表示されていることを示す説明図である。
【図９】最終消し込みを行なった状態を示す説明図である。
【図１０】厨房モニタの画面構成の別の例を示す説明図である。
【図１１】消し込みによって先詰め式に繰り上げられた状態を示す説明図である。
【図１２】客用モニタの画面構成の例を示す説明図である。
【図１３】調理中の画面構成の例を示す説明図である。
【図１４】調理完成状態の画面構成の例を示す説明図である。
【図１５】客用モニタにおいて広告を表示可能とした画面構成の例を示す説明図である。
【図１６】この発明の飲食店用券売機を用いた料理提供方法における券売機本体の表示用モニタの画面構成の例を示す説明図である。
【図１７】追加メニュー選択画面を示す説明図である。
【図１８】追加メニュー（トッピング・サイドメニュー）選択状態を示す説明図である。
【図１９】追加メニュー（トッピング・サイドメニュー）選択が終わり、追加するボタンを押す状態を示す説明図である。
【図２０】追加メニュー選択画面が終了した状態を示す説明図である。
【図２１】交換用カード類の例を示す説明図である。
【図２２】配膳表の例を示す説明図である。
【図２３】厨房モニタの画面構成を示す説明図である。
【図２４】この発明の飲食店用券売機を用いた料理提供方法の単売の際の全体の流れを示すフロー図である。
【図２５】連売の際の全体の流れを示すフロー図である。
【符号の説明】
【００５３】
１  自動券売機
２  表示用モニタ
３  パソコン
４  厨房モニタ
５  客用モニタ
６  プリンタ
７  交換用カード類の回収装置
１１  前面
１２  テーブル部分
１３  現金投入手段
１４  発券手段
１５  交換用カード類
１５−１  ３０ｍｍ通常券
１５−２  ３０ｍｍ半券
１５−３  ４５ｍｍ半券
１６  料理メニュー欄
１７  整理番号
１８  通信手段
１９  検知センサ
２０  カード挿入口
２１  呼出し手段
２２  料理メニュー
２３  整理番号
３１  画面
３２  追加メニュー選択画面
３３  画像付きのメニュー表示
３４  「閉じる／キャンセル」ボタン
３５  「追加する」ボタン
３６  個数表示
３７  金額表示
３８  取消ボタン
３９  金額欄
４０  「プラスα」の表示
４１  ＯＫ（確認）ボタン
４２  交換用カード類
４２−１  ３０ｍｍ通常券
４２−２  ３０ｍｍ半券
４２−３  ４５ｍｍ半券
４３  追加メニュー（トッピング・サイドメニュー）
４４  厨房モニタ画面